(57)【要約】【課題】本発明は、セキュリティースロットと適合サイズが異なる盗難防止接続具を連結する盗難防止接続具用アダプターを提供する。【解決手段】本発明の盗難防止接続具用アダプター１０は、セキュリティースロットに対してロック状態とアンロック状態を採る係止片３１，３２を有する係合部３０と、盗難防止接続具の係止用挿入片を挿入可能な第１スロット２３を有する第１アダプター部材２０と、前記係止用挿入片を挿入可能な第２スロット４１を有し、前記第１アダプター部材に対してスライド可能に配備される第２アダプター部材４０であって、前記第１アダプター部材に対して、前記第１スロットと前記第２スロットが重なって前記係止用挿入片が挿入されるアダプタースロット１１が形成されるロック位置と、前記第１スロットと前記第２スロットが位置ずれして前記係止用挿入片が挿入できないアンロック位置とをスライドする第２アダプター部材と、を具える。【選択図】図２
2019139512.tif 000002
【特許請求の範囲】
【請求項１】
電子機器のセキュリティースロットに挿入され、前記セキュリティースロットに対して係止するロック状態と挿脱可能なアンロック状態を採る係止片を有する係合部と、
前記セキュリティースロットに適合しないサイズの盗難防止接続具の係止用挿入片を挿入可能な第１スロットを有する第１アダプター部材と、
前記係止用挿入片を挿入可能な第２スロットを有し、前記第１アダプター部材に対してスライド可能に配備される第２アダプター部材であって、前記第１アダプター部材に対して、前記第１スロットと前記第２スロットが重なって前記係止用挿入片が挿入されるアダプタースロットが形成されるロック位置と、前記第１スロットと前記第２スロットが位置ずれして前記係止用挿入片が挿入できないアンロック位置とをスライドする第２アダプター部材と、
を具え、
前記係合部は、前記第１アダプター部材及び／又は前記第２アダプター部材に連繋され、前記第１アダプター部材と前記第２アダプター部材がスライドすることで、前記ロック位置にあるときは前記ロック状態、前記アンロック位置にあるときは前記アンロック状態を採る、
ことを特徴とする盗難防止接続具用アダプター。
【請求項２】
前記第１アダプター部材は、先端に前記係止片が揺動可能に突出する筒状のケーシングであって、
前記第２アダプター部材は、前記ケーシングにスライド可能に嵌まるスライダーであって、
前記スライダーは、前記係止片のロック状態、アンロック状態を切り替える挿入片を有する、
請求項１に記載の盗難防止接続具用アダプター。
【請求項３】
前記係止片をアンロック状態に付勢する付勢手段を具える、
請求項２に記載の盗難防止接続具用アダプター。
【請求項４】
前記第１アダプター部材は、前記第１スロットが形成された第１板状部材であり、
前記第２アダプター部材は、前記第２スロットが形成され、前記第１部材にスライド回転可能に支持された第２板状部材であり、
前記第１板状部材と前記第２板状部材には、前記第１スロットと前記第２スロットが重なって前記アダプタースロットを形成したときに前記ロック状態となる係止片がそれぞれ突設されている、
請求項１に記載の盗難防止接続具用アダプター。
【発明の詳細な説明】
【技術分野】
【０００１】
本発明は、ノート型パソコン等の電子機器に形成されたセキュリティースロットに対し、サイズの異なる盗難防止接続具を連結することのできるアダプターに関するものである。
【背景技術】
【０００２】
ノート型パソコン、タブレット型端末、携帯電話機、スマートフォン等の小型の電子機器を盗難から守るために、一部の機器では、外装ケーシングに所謂セキュリティースロットが設けられている。セキュリティースロットには、盗難防止接続具を介してセキュリティーワイヤーが連結される。セキュリティーワイヤーは、柱や陳列台の脚などに外れないよう取り付けられることで、電子機器の持ち出しや盗難を防ぐようにしている。
【０００３】
たとえば、特許文献１では、電子機器に設けられたセキュリティースロットに装着する盗難防止接続具を提案している。盗難防止接続具は、先端がＴ字状の抜止め片と抜止め片に対してスライド可能な回止め片からなる係止用挿入片を具え、抜止め片をセキュリティースロットに挿入し、９０°回転させた状態で回止め片を挿入し、これらが相対的に移動しないようにセキュリティーワイヤーを挿通している。
【先行技術文献】
【特許文献】
【０００４】
【特許文献１】特許３５５９５０１号公報
【発明の概要】
【発明が解決しようとする課題】
【０００５】
盗難防止接続具が、好適にセキュリティースロットと係合するには、抜止め片と回止め片がセキュリティースロットのサイズに合致していることが必要である。しかしながら、セキュリティースロットのサイズは、４．５ｍｍ（開口幅）×３．２ｍｍ（開口高）、６ｍｍ（開口幅）×２．５ｍｍ（開口高）、７ｍｍ（開口幅）×３ｍｍ（開口高）など複数種類が提案されている。この場合、サイズの小さいセキュリティースロットに盗難防止接続具の係止用挿入片を挿入することはできず、また、サイズの大きいセキュリティースロットでは、係止用挿入片を挿入することはできるがロックができない問題がある。従って、ユーザーは、電子機器のセキュリティースロットに対応したサイズの係止用挿入片を有する盗難防止接続具を準備せざるを得ない。
【０００６】
本発明の目的は、電子機器のセキュリティースロットと、盗難防止接続具が対応可能なセキュリティースロットのサイズが異なる場合にセキュリティースロットと盗難防止接続具を連結することができる盗難防止接続具用アダプターを提供することである。
【課題を解決するための手段】
【０００７】
本発明の盗難防止接続具用アダプターは、
電子機器のセキュリティースロットに挿入され、前記セキュリティースロットに対して係止するロック状態と挿脱可能なアンロック状態を採る係止片を有する係合部と、
前記セキュリティースロットに適合しないサイズの盗難防止接続具の係止用挿入片を挿入可能な第１スロットを有する第１アダプター部材と、
前記係止用挿入片を挿入可能な第２スロットを有し、前記第１アダプター部材に対してスライド可能に配備される第２アダプター部材であって、前記第１アダプター部材に対して、前記第１スロットと前記第２スロットが重なって前記係止用挿入片が挿入されるアダプタースロットが形成されるロック位置と、前記第１スロットと前記第２スロットが位置ずれして前記係止用挿入片が挿入できないアンロック位置とをスライドする第２アダプター部材と、
を具え、
前記係合部は、前記第１アダプター部材及び／又は前記第２アダプター部材に連繋され、前記第１アダプター部材と前記第２アダプター部材がスライドすることで、前記ロック位置にあるときは前記ロック状態、前記アンロック位置にあるときは前記アンロック状態を採る。
【０００８】
前記第１アダプター部材は、先端に前記係止片が揺動可能に突出する筒状のケーシングであって、
前記第２アダプター部材は、前記ケーシングにスライド可能に嵌まるスライダーであって、
前記スライダーは、前記係止片のロック状態、アンロック状態を切り替える挿入片を有する構成とすることができる。
【０００９】
前記係止片をアンロック状態に付勢する付勢手段を具えることができる。
【００１０】
また、前記第１アダプター部材は、前記第１スロットが形成された第１板状部材であり、
前記第２アダプター部材は、前記第２スロットが形成され、前記第１部材にスライド回転可能に支持された第２板状部材であり、
前記第１板状部材と前記第２板状部材には、前記第１スロットと前記第２スロットが重なって前記アダプタースロットを形成したときにロック状態となる係止片がそれぞれ突設された構成とすることができる。
【発明の効果】
【００１１】
本発明の盗難防止接続具用アダプターによれば、適合サイズの異なる電子機器のセキュリティースロットと盗難防止接続具を連結することができる。従って、電子機器のセキュリティースロットと適合しない盗難防止接続具であっても、盗難防止接続具を新たに準備することなく利用することができる。
【図面の簡単な説明】
【００１２】
【図１】図１は、本発明の盗難防止接続具用アダプターのアンロック状態の斜視図である。
【図２】図２は、盗難防止接続具用アダプターのロック状態の斜視図である。
【図３】図３は、図１の平面図である。
【図４】図４は、図１の正面図である。
【図５】図５は、図１の右側面図である。
【図６】図６は、盗難防止接続具用アダプターの分解斜視図である。
【図７】図７は、ケーシングを基端側から見た斜視図である。
【図８】図８は、ロック状態の盗難防止接続具用アダプターから上ケースを取り外した斜視図である。
【図９】図９（ａ）は、図２の平面図、図９（ｂ）は、図９（ａ）の線Ａ−Ａに沿って切断し、矢印方向に見た断面図である。
【図１０】図１０（ａ）乃至（ｃ）は、電子機器のセキュリティースロットに盗難防止接続具用アダプターを装着する工程を示している。
【図１１】図１１は、ロック状態の盗難防止接続具用アダプターと、装着される盗難防止接続具の斜視図である。
【図１２】図１２は、本発明の異なる実施形態を示す図であり、図１２（ａ）はロック状態、図１２（ｂ）はアンロック状態を示している。
【発明を実施するための形態】
【００１３】
以下、本発明の盗難防止接続具用アダプター１０（以下単に「アダプター」と称する）について図面を参照しながら説明を行なう。本発明のアダプター１０は、電子機器に設けられたセキュリティースロットと、当該セキュリティースロットとは適合サイズの異なる係止用挿入片を有する盗難防止接続具とを連結するものである。セキュリティースロット及び盗難防止接続具は、たとえば公知のものを採用することができる。
【００１４】
本発明のアダプター１０は、第１アダプター部材と第２アダプター部材をスライド可能に連繋して構成され、第１アダプター部材及び／又は第２アダプター部材には、電子機器のセキュリティースロットに適合してロック可能な係合部３０を有する。また、第１アダプター部材と第２アダプター部材にはそれぞれ第１スロット、第２スロットが形成され、これらスロットは、第１アダプター部材と第２アダプター部材のスライドによって盗難防止接続具の係止用挿入片に適合してロック可能なアダプタースロット１１を構成する。
【００１５】
＜第１実施形態＞
図１乃至図７に示すように、第１実施形態のアダプター１０は、第１アダプター部材を筒状のケーシング２０、第２アダプター部材をスライダー４０としている。係合部３０は、ケーシング２０に揺動可能に支持され、ケーシング２０の先端から一部が突出している。
【００１６】
アダプター１０は、図１に示すように係合部３０が閉じた状態で、電子機器のセキュリティースロットに挿入して使用される。アダプター１０は、係合部３０をセキュリティースロットに挿入した後、図２に示すようにスライダー４０をケーシング２０内で前進スライドさせてロック位置に移行し、係合部３０を開き状態として電子機器のセキュリティースロットに係止し、そのロック状態を維持する。ケーシング２０及びスライダー４０には、スライダー４０を前進させたときに一致して連通するアダプタースロット１１が形成されており、アダプタースロット１１に盗難防止接続具の係止用挿入片を装着してロックし、スライダー４０の後退を阻止する。これにより、アダプター１０を介して適合サイズの異なるセキュリティースロットと盗難防止接続具を連結し、電子機器の盗難を防止することができる。
【００１７】
ケーシング２０は、図６に示すように、たとえば上ケース２１と下ケース２２を係合して構成することができる。図１に示すように、ケーシング２０の前端には、上下のケース２１,２２によって係合部３０が突出する開口２４が形成されている。また、図７に示すように、ケーシング２０の基端にはスライダー４０がスライド可能に嵌まる開口２５が形成されている。
【００１８】
図６に示すように、ケーシング２０の内部には、前端側に後述する係止片３１,３２を枢支する軸孔２６と、付勢部材３６が嵌まる格納溝２７が凹設されている。また、ケーシング２０の基端には、スライダー４０の脱落を防止する抜止用突起２８が形成されている。
【００１９】
図１等に示すように、上ケース２１には、基端側近傍の上面を貫通してケーシングスロット２３（第１スロット）が形成されている。ケーシングスロット２３は、後述するスライダー４０のスライダースロット４１（第２スロット）のスライド移行路上に設けられ、スライダー４０を前進させてロック位置に移動した際にスライダースロット４１と一致して、盗難防止接続具の係止用挿入片が挿入されるアダプタースロット１１を構成する。
【００２０】
上ケース２１の基端には、スライダー４０を後退させる際にユーザーが指先を差し入れる凹み２９を形成することができる。
【００２１】
係合部３０は、図６に示すように、一対の係止片３１,３２から構成することができる。係止片３１,３２は、それぞれ基端側に設けられた軸３５がケーシング２０の軸孔２６に揺動可能に嵌まり、先端が接近離間して開閉動作可能となっている。係止片３１,３２の先端は、外向きに屈曲した爪３３,３４を有する。係止片３１,３２は、閉じた状態で電子機器のセキュリティースロットに挿入可能であり、係止片３１,３２を開いた状態で爪３３,３４がセキュリティースロットに係合してロック可能なサイズに形成される。係止片３１,３２は、たとえば環状ゴムの如き付勢部材３６が掛けられ、閉じ方向に付勢している。なお、上記係止片３１,３２の先端の形状はセキュリティースロットへのロックが可能な形状であればよく、爪に限定されるものではない。
【００２２】
上記係合部３０の係止片３１,３２を開閉操作するスライダー４０は、ケーシング２０内を前後にスライド可能に配置される。スライダー４０は、図６に示すように、内部中空の胴部４３と胴部４３の先端側に突設された軸状の挿入片４２を具える。挿入片４２は、先端が尖った形状であり、スライダー４０をケーシング２０内で前進させたときに、係止片３１,３２間に侵入して係止片３１,３２をロック状態に押し広げる。
【００２３】
スライダー４０の胴部４３は、図２に示すように、スライダー４０をケーシング２０内で最も前進させた状態でケーシング２０内に収まる長さとしている。また、図９（ｂ）に示すように、胴部４３の内部４６は中空に形成され、下面を蓋４７で塞いでいる。図６に示すように、胴部４３の基端近傍には、上面にスライダースロット４１が内部空間４６と連通するように貫通開設されている。たとえばスライダースロット４１は、略矩形形状とすることができ、胴部４３の内部空間４６よりも幅狭に形成される。スライダースロット４１は、スライダー４０をケーシング２０内で前進させてロック位置に移動したときに、上記したケーシングスロット２３と一致してアダプタースロット１１を構成し、スライダー４０を後退させてアンロック位置に移動したときに、ケーシングスロット２３からずれた位置に形成される。
【００２４】
スライダースロット４１は盗難防止接続具の係止用挿入片を挿入できるサイズであり、胴部４３の内部は盗難防止接続具の係止用挿入片をロック状態にすることのできるサイズである。本実施形態では、ケーシングスロット２３もスライダースロット４１と同じサイズとしている。
【００２５】
その他、スライダー４０の胴部４３の基端には、スライダー４０を後退させる際にユーザーが指を掛ける指掛け４４がケーシング２０の厚さに相当する突出量で上向きに形成している。また、胴部４３の上下面には、ケーシング２０の抜止用突起２８がスライド可能に嵌まる抜止用溝４５が凹設されている。
【００２６】
アダプター１０には、前端にクッション板５０を配置することができる。図１、図６等に示すように、クッション板５０にも係合部３０が突出する開口５１を形成している。
【００２７】
上記構成のケーシング２０、係合部３０及びスライダー４０は、次の要領で組み立てることができる。まず、図６に示すように、一対の係止片３１,３２に環状の付勢部材３６を嵌め、係止片３１,３２の各軸３５を下ケース２２の軸孔２６に挿入する。付勢部材３６は、ケーシング２０の前端の格納溝２７に嵌まる。次に、スライダー４０を下ケース２２に載置する。スライダー４０は、スライダースロット４１を上向きとし、挿入片４２を係止片３１,３２間に挿入する。ケーシング２０の抜止用突起２８は、スライダー４０の抜止用溝４５に嵌まる。この状態で、下ケース２２に上ケース２１を被せて接着、溶着等により固定し、ケーシング２０の先端にクッション板５０を取り付ける。
【００２８】
一実施形態として、係止片３１,３２が閉じたアンロック状態の係合部３０のサイズは５．８７ｍｍ（幅）×２ｍｍ（高）とすることができ、ロック状態で爪３３，３４の間隔を８．０１ｍｍ（幅）×２ｍｍ（高）とすることができる。これは、６ｍｍ（開口幅）×２．５ｍｍ（開口高）のサイズの電子機器のセキュリティースロットのサイズに適合する。また、ケーシングスロット２３とスライダースロット４１は、７．１ｍｍ（開口幅）×３．１ｍｍ（開口高）のサイズからのアダプタースロット１１とすることができる。これは、適応サイズが７〜８ｍｍ（幅）×２．９〜４ｍｍ（高）の盗難防止接続具の係止用挿入片との係止に適合する。もちろん、サイズは一例である。
【００２９】
本発明のアダプター１０は、図１に示すように、スライダー４０がケーシング２０に対してアンロック位置に後退した状態をアンロック状態とする。アンロック状態では、アダプター１０の係合部３０は、付勢部材３６により係止片３１,３２どうしが接近した閉じ状態にある。また、スライダー４０の基端は、ケーシング２０の基端から突出しており、ケーシングスロット２３とスライダースロット４１は位置ずれしている。
【００３０】
このアンロック状態から、アダプター１０を図１０に示すように電子機器７０の外装筺体に形成されたセキュリティースロット７１に接続する。本発明のアダプター１０は、アンロック状態で係合部３０を電子機器７０のセキュリティースロット７１に接近させて挿入する。図１０（ａ）に示すように、アンロック状態では、係合部３０は、セキュリティースロット７１に挿入可能なサイズであるから、係合部３０をセキュリティースロット７１に位置合わせし、アダプター１０自体を前進させることで、図１０（ｂ）に示すように、係合部３０の先端が、セキュリティースロット７１に挿入される。そして、この状態からスライダー４０の基端をケーシング２０に押し込んでロック位置に移動させることで、係合部３０は、係止片３１,３２間に挿入片４２が進入し、係止片３１,３２が揺動して先端の爪３３,３４が開く。これにより、図１０（ｃ）に示すように、爪３３,３４がセキュリティースロット７１と係合して、係合部３０とセキュリティースロット７１がロック状態となり、アダプター１０が電子機器７０に連結される。
【００３１】
アダプター１０は、スライダー４０をケーシング２０内で前進させてロック位置に移動させることで、図９（ｂ）に示すように、スライダースロット４１がケーシングスロット２３と一致、連通してアダプタースロット１１が出現する。このアダプタースロット１１に、図１１に示すように盗難防止接続具８０の係止用挿入片８１を挿入し、公知の要領でロックを行なうことで、アダプター１０と盗難防止接続具８０が連結され、アダプター１０を介して、電子機器７０のセキュリティースロット７１と盗難防止接続具８０が接続される。なお、盗難防止接続具８０は、ワイヤー等を介して机等の固定物に連繋しておく。本発明によれば、係止用挿入片８１は、電子機器７０のセキュリティースロット７１には挿入又はロックすることができないサイズであっても、アダプタースロット１１へ挿入、ロックすることができるものであれば、アダプター１０を介して電子機器７０に連結することができ、電子機器７０の盗難等を防止することができる。
【００３２】
盗難防止接続具８０及びアダプター１０を電子機器７０から取り外すには、まず、盗難防止接続具８０の係止用挿入片８１をアダプタースロット１１から抜き取る。これにより、スライダー４０は、ケーシング２０内でスライド可能となる。そして、上ケース２１にある凹み２９に指を入れて指掛け４４を引っ張って、図２に示すように、スライダー４０を後退させてアンロック位置に移動させる。なお、スライダー４０は、抜止用突起２８によってケーシング２０から脱落することはない。スライダー４０の後退により、挿入片４２も係止片３１,３２間で後退するから、係止片３１,３２は、閉じ方向に揺動可能となり、付勢部材３６の付勢力によって閉じてアンロック状態に戻る。この状態で、アダプター１０を引っ張ることで、係合部３０は、電子機器７０のセキュリティースロット７１から抜き取られ、アダプター１０を取り外すことができる。
【００３３】
上記のように、本発明のアダプター１０を用いることで、夫々適合サイズの異なる電子機器のセキュリティースロットと盗難防止接続具を連結することができる。従って、電子機器のセキュリティースロットと適合しない盗難防止接続具を所有する場合でも、本発明のアダプター１０を用いることで、盗難防止接続具を新たに準備せず利用することができる。
【００３４】
＜第２実施形態＞
図１２は、本発明のアダプター１０の異なる実施形態を示している。図１２では、第１アダプター部材は第１プレート６１であり、第２アダプター部材は第２プレート６２であって、第１プレート６１と第２プレート６２は、支持軸６３によりスライド回転可能に支持されている。
【００３５】
図に示すように、第１プレート６１と第２プレート６２には、それぞれセキュリティースロット７１に挿入可能な係止片６６,６７が突設されている。また、プレート６１,６２には、これらのスライド回転により、図１２（ａ）に示すように、係止片６６,６７がロック状態となったときに重なってアダプタースロットを構成する第１スロット６４、第２スロット６５が開設されている。
【００３６】
アダプター１０は、図１２（ｂ）に示すように、第１プレート６１と第２プレート６２をスライド回転させて、係止片６６,６７の幅が狭いアンロック状態とし、セキュリティースロット７１に係止片６６,６７を挿入する。このとき、第１スロット６４と第２スロット６５は位置ずれしているから、盗難防止接続具の係止用挿入片は挿入できない。
【００３７】
図１２（ａ）に示すように、第１プレート６１と第２プレート６２を相対的に揺動させると、係止片６６,６７が開いてセキュリティースロット７１に係止されると共に、第１スロット６４と第２スロット６５が重なってアダプタースロットが出現する。この状態で、アダプタースロットに盗難防止接続具の係止用挿入片を挿入し、ロックすることで、アダプター１０を介して電子機器と盗難防止接続具が連結される。
【００３８】
本実施形態のアダプター１０は、たとえば金属や硬質樹脂などで第１プレート６１、第２プレート６２を形成することができ、比較的単純な構造で電子機器と盗難防止接続具を連結できる。
【００３９】
上記実施例の説明は、本発明を説明するためのものであって、特許請求の範囲に記載の発明を限定し、あるいは範囲を減縮する様に解すべきではない。又、本発明の各部構成は上記実施例に限らず、特許請求の範囲に記載の技術的範囲内で種々の変更が可能であることは勿論である。
【００４０】
たとえば、係合部３０は、上記実施形態には限定されるものではなく、たとえば、係止用挿入片を回動させることでロック状態、アンロック状態を切り替えるもの等であってもよい。
【００４１】
第１実施形態では、係止片３１,３２は環状の付勢部材３６によって付勢しているが、付勢部材３６はバネ等の弾性体を用いることもでき、また、係止片３１,３２自体を閉じ方向に接近する弾性体で形成することも可能である。もちろん、第２実施形態のように付勢部材を不要とした構成としても構わない。
【符号の説明】
【００４２】
１０  盗難防止接続具用アダプター
１１  アダプタースロット
２０  ケーシング（第１アダプター部材）
２３  ケーシングスロット（第１スロット）
３０  係合部
３１,３２  係止片
４０  スライダー（第２アダプター部材）
４１  スライダースロット（第２スロット）
４２  挿入片
【図１】
2019139512.tif 000003
【図２】
2019139512.tif 000004
【図３】
2019139512.tif 000005
【図４】
2019139512.tif 000006
【図５】
2019139512.tif 000007
【図６】
2019139512.tif 000008
【図７】
2019139512.tif 000009
【図８】
2019139512.tif 000010
【図９】
2019139512.tif 000011
【図１０】
2019139512.tif 000012
【図１１】
2019139512.tif 000013
【図１２】
2019139512.tif 000014